(57)【特許請求の範囲】
【請求項１】
表示手段、及び第１音声通話手段を含む発着信履歴統合装置であって、
前記第１音声通話手段によりなされた電話発信又は電話着信の履歴である第１発着信履歴を格納する第１履歴格納手段と、
前記第１音声通話手段と異なる通信手段である第２音声通話手段によりなされた電話発信又は電話着信の履歴であって、第２履歴格納手段に格納されている第２発着信履歴を、当該第２履歴格納手段から取得し、当該第２発着信履歴と前記第１発着信履歴とを統合した統合発着信履歴を前記表示手段に表示する表示制御手段とを備え、
前記表示手段上に表示された統合発着信履歴の中から前記第２発着信履歴に含まれる電話発信又は電話着信の履歴が選択された場合に、前記第１音声通話手段は、前記表示制御手段からの指示に基づいて、当該選択された電話発信又は電話着信の履歴の発信先又は着信元への電話発信を行う
ことを特徴とする発着信履歴統合装置。
【請求項２】
前記表示制御手段により前記表示手段上に表示される統合発着信履歴における各履歴は、前記第１発着信履歴と前記第２発着信履歴のうちのいずれに属するかを示す情報を含む
ことを特徴とする請求項１に記載の発着信履歴統合装置。
【請求項３】
前記第１音声通話手段と前記第２音声通話手段は、異なる種類の音声通話手段である
ことを特徴とする請求項１又は２に記載の発着信履歴統合装置。
【請求項４】
前記表示制御手段は、前記第２発着信履歴における発信先又は着信元を示す識別情報を、前記第１音声通話手段に対応した識別情報に変換する
ことを特徴とする請求項３に記載の発着信履歴統合装置。
【請求項５】
表示手段、表示制御手段、第１音声通話手段、及び当該第１音声通話手段によりなされた電話発信又は電話着信の履歴である第１発着信履歴を格納する第１履歴格納手段を含む発着信履歴統合装置が実行する発着信履歴表示方法であって、
前記第１音声通話手段と異なる通信手段である第２音声通話手段によりなされた電話発信又は電話着信の履歴であって、第２履歴格納手段に格納されている第２発着信履歴を、当該第２履歴格納手段から取得し、当該第２発着信履歴と前記第１発着信履歴とを統合した統合発着信履歴を前記表示手段に表示する表示制御ステップを備え、
前記表示手段上に表示された統合発着信履歴の中から前記第２発着信履歴に含まれる電話発信又は電話着信の履歴が選択された場合に、前記第１音声通話手段は、前記表示制御ステップを実行する前記表示制御手段からの指示に基づいて、当該選択された電話発信又は電話着信の履歴の発信先又は着信元への電話発信を行う
ことを特徴とする発着信履歴表示方法。
【請求項６】
コンピュータを、請求項１ないし４のうちのいずれか１項に記載の発着信履歴統合装置における表示制御手段として機能させるためのプログラム。
【発明の詳細な説明】
【技術分野】
【０００１】
本発明は、ユーザ端末において通信の発着信履歴を表示する技術に関連するものである。
【背景技術】
【０００２】
現在、インターネット等のＩＰネットワーク上でインターネットプロトコルを用いた音声通話を提供するＶｏＩＰサービスが普及してきている。このＶｏＩＰサービスは専用のＩＰ電話機を用いたもののみならず、スマートフォン上のアプリ（以下、「ＶｏＩＰアプリ」と略す。）としても実装されている（非特許文献１参照）。
【０００３】
ＶｏＩＰサービスは携帯電話キャリアの通話サービスの通話料金より安い場合や、プライベート用と仕事用で電話番号を使い分けたい場合等に利用されており、発着信履歴や電話帳は携帯キャリアの通話機能（以下、「携帯電話機能」と略す。）とＶｏＩＰアプリで別れている。
【先行技術文献】
【非特許文献】
【０００４】
【非特許文献１】スマートフォン向け通話アプリ・050 plus、NTTコミュニケーションズ、[平成27年10月22日検索]、http://050plus.com/pc/index.html
【発明の概要】
【発明が解決しようとする課題】
【０００５】
安価な通話サービスのためにＶｏＩＰサービスを利用している場合は、なるべく発信をＶｏＩＰアプリ側から行いたい。しかし、携帯電話の発着信履歴をＶｏＩＰ側で利用できないため、携帯電話の不在着信への折り返しをＶｏＩＰアプリ側から行いたいような場合には、携帯電話の着信履歴をコピーしてＶｏＩＰアプリ側の発信機能でペーストしたり、番号を手打ちする必要があったりと、使い勝手がよくないという問題があった。
【０００６】
上記のような問題は、例えば、スマートフォン等のユーザ端末で複数種類のＶｏＩＰアプリが使用される場合において、当該複数のＶｏＩＰアプリ間でも生じ得る問題である。また、ユーザ端末で複数種類の携帯電話機能が使用される場合において、当該複数の携帯電話機能間でも生じ得る問題である。つまり、上記の問題は電話機能（通信手段）の種類によらずに生じ得る問題である。また、上記の問題は、電話に限らず、発着信を行う通信全般に生じ得る問題である。
【０００７】
本発明は上記の点に鑑みてなされたものであり、ユーザ端末において、第１通信手段を使用する際に、第２通信手段の発着信履歴を容易に利用することを可能とする技術を提供することを目的とする。
【課題を解決するための手段】
【０００８】
本発明の実施の形態によれば、表示手段、及び第１音声通話手段を含む発着信履歴統合装置であって、
前記第１音声通話手段によりなされた電話発信又は電話着信の履歴である第１発着信履歴を格納する第１履歴格納手段と、
前記第１音声通話手段と異なる通信手段である第２音声通話手段によりなされた電話発信又は電話着信の履歴であって、第２履歴格納手段に格納されている第２発着信履歴を、当該第２履歴格納手段から取得し、当該第２発着信履歴と前記第１発着信履歴とを統合した統合発着信履歴を前記表示手段に表示する表示制御手段とを備え、
前記表示手段上に表示された統合発着信履歴の中から前記第２発着信履歴に含まれる電話発信又は電話着信の履歴が選択された場合に、前記第１音声通話手段は、前記表示制御手段からの指示に基づいて、当該選択された電話発信又は電話着信の履歴の発信先又は着信元への電話発信を行う
ことを特徴とする発着信履歴統合装置が提供される。
【０００９】
また、本発明の実施の形態によれば、表示手段、表示制御手段、第１音声通話手段、及び当該第１音声通話手段によりなされた電話発信又は電話着信の履歴である第１発着信履歴を格納する第１履歴格納手段を含む発着信履歴統合装置が実行する発着信履歴表示方法であって、
前記第１音声通話手段と異なる通信手段である第２音声通話手段によりなされた電話発信又は電話着信の履歴であって、第２履歴格納手段に格納されている第２発着信履歴を、当該第２履歴格納手段から取得し、当該第２発着信履歴と前記第１発着信履歴とを統合した統合発着信履歴を前記表示手段に表示する表示制御ステップを備え、
前記表示手段上に表示された統合発着信履歴の中から前記第２発着信履歴に含まれる電話発信又は電話着信の履歴が選択された場合に、前記第１音声通話手段は、前記表示制御ステップを実行する前記表示制御手段からの指示に基づいて、当該選択された電話発信又は電話着信の履歴の発信先又は着信元への電話発信を行う
ことを特徴とする発着信履歴表示方法が提供される。
【発明の効果】
【００１０】
本発明の実施の形態によれば、ユーザ端末において、第１通信手段を使用する際に、第２通信手段の発着信履歴を容易に利用することを可能とする技術が提供される。
【図面の簡単な説明】
【００１１】
【図１】ユーザ端末１００の構成例を示す図である。
【図２】第１発着信履歴格納部１２０に格納される情報の例を示す図である。
【図３】表示操作部１５０上の表示例を示す図である。
【図４】表示操作部１５０上の表示例を示す図である。
【図５】ユーザ端末１００の動作例を説明するためのシーケンス図である。
【図６】各表示ステップで表示される情報の例を示す図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。
【００１３】
以下の実施の形態では、ユーザ端末が第１通信機能部と第２通信機能部を含み、第１通信機能部がＶｏＩＰアプリであり、第２通信機能部が携帯電話機能であることを想定しているが、これは一例である。例えば、第１通信機能部が携帯電話機能であり、第２通信機能部がＶｏＩＰアプリであってもよいし、第１通信機能部がＶｏＩＰアプリＡであり、第２通信機能部がＶｏＩＰアプリＢ（ＶｏＩＰアプリＡと異なるＶｏＩＰアプリ）であってもよいし、第１通信機能部が携帯電話機能Ａであり、第２通信機能部が携帯電話機能Ｂ（携帯電話機能Ａと異なる携帯電話機能）であってもよい。
【００１４】
また、ユーザ端末における通信機能の数は、第１、第２の２つに限られず、３つ以上でもよい。ただし、３つ以上の場合であっても、そのうちの２つに着目すれば、以下で説明する処理と同様の処理が実行される。
【００１５】
また、以下では、通信の例として音声通話を行う電話を例にしているが、本発明は、映像通信、ショートメッセージサービス（SMS）等のメッセージサービス、またはメール等、発着信を行う通信全般に適用可能である。
【００１６】
（概要）
本発明の実施の形態（以下、本実施の形態）では、第１通信機能部と第２通信機能部を有するスマートフォン等のユーザ端末において、ユーザが第１通信機能部を利用する際に、第２通信機能部の発着信履歴を、第１通信機能の発着信履歴と統合した形で表示し、ユーザは、第２通信機能の発着信履歴を、第１通信機能の発着信履歴を利用する場合と同様にして利用可能である。これにより、例えば、ユーザは、第２通信機能部の発着信履歴における電話番号への第１通信機能部による発信を容易に行うことができる。
【００１７】
（装置構成例）
図１に本実施の形態におけるユーザ端末１００の構成例を示す。図１に示すユーザ端末１００は、例えば、携帯電話機能とＶｏＩＰアプリを備えるスマートフォンであるが、これに限られるわけではない。ユーザ端末１００は、スマートフォン以外の端末、例えば、アプリを搭載可能な携帯電話機、音声入出力機能を有するタブレット、音声入出力機能を有するＰＣ等でもよい。なお、後述するとおり、ユーザ端末１００は、発着信履歴を統合する機能を有することから、これを発着信履歴統合装置と称してもよい。
【００１８】
図１に示すように、ユーザ端末１００は、第１通信機能部１１０、第１発着信履歴格納部１２０、第２通信機能部１３０、第２発着信履歴格納部１４０、表示操作部１５０を有する。
【００１９】
第１通信機能部１１０は、例えば、ＶｏＩＰアプリ（プログラム）がユーザ端末１００（コンピュータ）により実行されることにより実現される機能部である。第１発着信履歴格納部１２０は、第１通信機能部１１０による発着信の履歴（これを第１発着信履歴と呼ぶ）を格納する機能部である。ただし、後述するように、本実施の形態における第１発着信履歴格納部１２０には、第２通信機能部１３０による発着信の履歴も格納される。
【００２０】
なお、第１通信機能部１１０が第１発着信履歴格納部１２０を含むこととしてもよい。また、第１発着信履歴格納部１２０を、ユーザ端末１００の外部にサーバとして備え、ユーザ端末１００とネットワークを介して接続することとしてもよい。
【００２１】
第２通信機能部１３０は、例えば、携帯電話機能である。第２発着信履歴格納部１４０は、第２通信機能部１３０による発着信の履歴（これを第２発着信履歴と呼ぶ）を格納する機能部である。なお、第２通信機能部１３０が第２発着信履歴格納部１４０を含むこととしてもよい。また、第１通信機能部１１０をユーザ端末１００に備え、第２通信機能部１３０及び第２発着信履歴格納部１４０を別の装置に備えて、ユーザ端末１００と当該装置とをネットワークで接続する構成としてもよい。
【００２２】
表示操作部１５０は、例えばタッチパネルであり、各種情報の表示を行うとともに、ユーザからの入力を受け付ける。以下、第１通信機能部１１０、第１発着信履歴格納部１２０についてより詳細に説明する。
【００２３】
（第１通信機能部１１０の構成）
図１に示すように、第１通信機能部１１０は、発着信履歴取得部１１１、表示制御部１１２、通信部１１３を有する。
【００２４】
発着信履歴取得部１１１は、表示制御部１１２からの指示に基づいて、第２発着信履歴履歴格納部１４０に格納されている第２発着信履歴を取得し、当該第２発着信履歴を第１発着信履歴格納部１２０に格納する。発着信履歴取得部１１１による第２発着信履歴の取得方法は特定の方法に限られないが、例えば、第２通信機能部１３０側に備えられている第２発着信履歴の取得モジュールやユーザ端末１００のOSに予め備えられたAPIを利用して第２発着信履歴を取得することができる。
【００２５】
表示制御部１１２は、第１通信機能部１１０を利用した通信に係る各種の情報を表示操作部１５０に表示するとともに、表示操作部１５０から入力された操作情報を解釈し、当該操作情報に対応した処理を実行する機能部である。通信部１１２は、電話通信等の通信を行う機能部である。なお、表示制御部１１２の中に発着信履歴取得部１１１を含めることとしてもよい。
【００２６】
例えば、ある電話番号Ａへの発信を示す「発信」ボタンが表示操作部１５０に表示されている場合に、当該「発信」ボタンがタッチされると、表示制御部１１２は、当該タッチの操作情報を解釈して、電話番号Ａへの発信を行うことを決定し、「電話番号Ａへの発信」を通信部１１３に指示し、通信部１１３が電話番号Ａへの発信を実行する。また、通信部１１３による電話番号Ａへの発信、通話に関する情報は、例えば通信部１１３により、発信履歴として第１発着信履歴格納部１２０に格納される。
【００２７】
本実施の形態に係るユーザ端末１００における表示制御部１１２及び発着信履歴取得部１１１は、例えば、ユーザ端末１００として使用されるコンピュータ（スマートフォンもコンピュータの一種）に、本実施の形態で説明する処理内容を記述したプログラムを実行させることにより実現可能である。すなわち、表示制御部１１２及び発着信履歴取得部１１１が有する機能は、当該コンピュータに内蔵されるＣＰＵやメモリ、ハードディスクなどのハードウェア資源を用いて、表示制御部１１２及び発着信履歴取得部１１１で実施される処理に対応するプログラムを実行することによって実現することが可能である。上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００２８】
表示制御部１１２及び発着信履歴取得部１１１を含む第１通信機能部１１０を、コンピュータにプログラムを実行させることにより実現させることとしてもよい。また、第１通信機能部１１０をハードウェア回路（集積回路）で実現することも可能である。
【００２９】
（発着信履歴表示に係る動作例）
本実施の形態では、表示操作部１５０に表示された画面に対する所定の操作（ここでは発着信履歴表示操作）があると、表示制御部１１２は、発着信履歴を表示する動作を実行する。
【００３０】
当該動作において、表示制御部１１２は、まず、発着信履歴取得部１１１に対して第２発着信履歴を取得するよう指示をする。指示を受けた発着信履歴取得部１１１は、第２通信機能部１３０から第２発着信履歴を取得し、第１発着信履歴格納部１２０に格納する。第１発着信履歴格納部１２０には、第１発着信履歴が格納されているので、発着信履歴取得部１１１により、第１発着信履歴格納部１２０には、第１発着信履歴と第２発着信履歴が格納される。以下、第１発着信履歴と第２発着信履歴との両方を含む履歴を統合発着信履歴と呼ぶことにする。
【００３１】
なお、発着信履歴取得部１１１は、第２発着信履歴格納部１４０に格納されている全ての履歴を取得してもよいし、一部の履歴を取得してもよい。一部の履歴を取得する場合、例えば、現在時刻から予め定めた時間遡った過去の時刻から、現在時刻までの履歴のみを取得することとしてもよいし、最新の履歴から予め定めた個数の履歴のみを取得することとしてもよい。
【００３２】
図２に、第１発着信履歴格納部１２０に格納される統合発着信履歴の例を示す。図２に示すように、本例では、電話種別、発着の別、電話番号、通話時刻、通話時間、名前が格納されている。
【００３３】
上記のうち、「電話種別」は、第１通信機能部１１０と第２通信機能部１３０のうちのどちらの発／着に係る情報かを示す。「電話番号」は、発着ともに相手の電話番号である。通話時刻は、発／着のあった時刻である。通話時間は、通話を行った時間である。着信があっても不在（電話に出ない）の場合、ここに「不在」を示す情報が格納されることとしてもよい。「名前」は、「電話番号」に対応する名前である。なお、「名前」は、ユーザ端末１００もしくは所定のサーバに存在する電話帳情報から取得してもよいし、発信／着信の信号から取得できる場合は当該信号から取得してもよい。
【００３４】
第１発着信履歴格納部１２０に統合発着信履歴（第１発着信履歴と第２発着信履歴）が格納される段階においては、ソートすることは必須ではなく、例えば、取得した第２発着信履歴のうち、既に格納されている履歴に含まれない履歴（新たな履歴）をレコードの最後に追加することとしてよい。
【００３５】
第２発着信履歴が取得され、第１発着信履歴格納部１２０に格納されると、表示制御部１１２は、第１発着信履歴格納部１２０から統合発着信履歴を読み出し、表示操作部１５０に表示する。
【００３６】
図３に、統合発着信履歴の表示例を示す。例えば、最初に履歴表示の操作をした場合、表示制御部１１２は、統合発着信履歴を時刻順にソートし、表示操作部１５０に表示する。これにより、図３に示すように、時刻順（新しいほど上）にソートされた統合発着信履歴が表示される。表示された統合発着信履歴には、電話種別と発着の情報（「第１電話発信」、「第２電話着信」等）、名前、時刻が表示されている。もちろん、これは例であり、他の情報を表示してもよい。
【００３７】
また、図３の例では、Ａで示す「着信」を選択すると、着信の履歴のみが表示され、Ｂで示す「発信」を選択すると、発信の履歴のみが表示される。また、Ｃで示す「すべて」を選択すると、第１電話の発着、第２電話の発着の全ての履歴が表示される。Ｄで示す「第１電話のみ」を選択すると、第１通信機能部１１０による発着信履歴のみが表示され、Ｅで示す「第２電話のみ」を選択すると、第２通信機能部１３０による発着信履歴のみが表示される。
【００３８】
上記のような表示動作は、図３に示すテーブル形式の情報から適宜ソートやレコード抽出等を行うことで実現できる。
【００３９】
なお、上記の例では、発着信履歴取得部１１１が第２発着信履歴を取得する契機を、履歴表示操作としているが、発着信履歴取得部１１１が第２発着信履歴を取得する契機はこれに限られない。例えば、アプリとしての第１通信機能部１１０を起動したときに第２発着信履歴を取得してもよいし、履歴表示操作以外の何等かの操作をしたときに第２発着信履歴を取得してもよいし、第１通信機能部１１０が起動している間、操作の有無に関わらず、定期的に第２発着信履歴を取得してもよい。
【００４０】
（発信動作例）
図３に示すような統合発着信履歴が表示されている状態において、例えば、ユーザが、第１通信機能部１１０によるＢさん（第２電話着信履歴の１つ）への発信を行うことを考える。この場合、ユーザは、Ｂさんの表示箇所をタッチする。すると、表示制御部１１２は、操作を解釈し、Ｂさんへの発信を行うことを決定し、Ｂさんへの発信を通信部１１３に指示する。
【００４１】
また、この場合、ユーザがＢさんの表示箇所をタッチした後、表示制御部１１２が図４に示すような発信画面を表示し、当該発信画面で「発信」が選択された後に発信を行うこととしてもよい。図４の例では、Ｂさんの電話番号として「０９０−ＡＢＣＤ−ＥＦＧＨ」が表示されている。このように、本実施の形態の第１通信機能部１１０により、第２通信機能部１３０の発着信履歴の電話番号への発信を容易に行うことが可能である。
【００４２】
（処理シーケンス例）
次に、ユーザ端末１００の動作例を、図５のシーケンス、及び図６を参照して説明する。図５において、第１通信機能部１１０に対応する電話ネットワーク（ＮＷ）を第１電話ＮＷとして示し、第２通信機能部１３０に対応する電話ネットワークを第２電話ＮＷとして示している。
【００４３】
ステップＳ１０１において、Ａさんから第２通信機能部１３０に着信（不在）がある。これにより、第２発着信履歴格納部１４０には、Ａさんから着信（不在）があったことを示す履歴が格納される。
【００４４】
ステップＳ１０２において、第１通信機能部１１０に対する所定の操作（表示操作部１５０からの操作）がなされると、発着信履歴取得部１１１は、第２通信機能部１３０から第２発着信履歴を取得し（ステップＳ１０３、Ｓ１０４）、統合発着信履歴を表示する（ステップＳ１０５）。図６のＳ１０５に示すように、この段階では、統合発着信履歴としてＡさんから着信（不在）があったことを示す履歴が表示される。
【００４５】
ステップＳ１０６において、Ｂさんから第１通信機能部１１０に着信（不在）がある。これにより、第１発着信履歴格納部１２０には、Ｂさんから着信（不在）があったことを示す履歴が格納される。
【００４６】
ステップＳ１０７において、第１通信機能部１１０に対する所定の操作（表示操作部１５０からの操作）がなされると、発着信履歴取得部１１１は、第２通信機能部１３０から第２発着信履歴を取得し（ステップＳ１０８、Ｓ１０９）、統合発着信履歴を表示する（ステップＳ１１０）。この段階では、図６のＳ１１０に示す履歴が表示される。
【００４７】
ステップＳ１１１、Ｓ１１２において、Ｃさんから第２通信機能部１１０に着信があり、応答がなされ、通話が実施される。これにより、第２発着信履歴格納部１４０には、Ｃさんからの着信に係る履歴が格納される。
【００４８】
ステップＳ１１３において、第１通信機能部１１０に対する所定の操作（表示操作部１５０からの操作）がなされると、発着信履歴取得部１１１は、第２通信機能部１３０から第２発着信履歴を取得し（ステップＳ１１４、Ｓ１１５）、統合発着信履歴を表示する（ステップＳ１１６）。この段階では、図６のＳ１１６に示す履歴が表示される。
【００４９】
ステップＳ１１７において、Ｄさんへの第２通信機能部１３０からの発信があり、通話が実施される。これにより、第２発着信履歴格納部１４０には、Ｄさんへの発信があったことを示す履歴が格納される。また、ステップＳ１１８、Ｓ１１９において、Ｅさんから第１通信機能部１１０に着信があり、応答がなされ、通話が実施される。また、ステップＳ１２０において、Ｆさんへの第１通信機能部１１０からの発信があり、通話が実施される。
【００５０】
ステップＳ１２１において、第１通信機能部１１０に対する所定の操作（表示操作部１５０からの操作）がなされると、発着信履歴取得部１１１は、第２通信機能部１３０から第２発着信履歴を取得し（ステップＳ１２２、Ｓ１２３）、統合発着信履歴を表示する（ステップＳ１２４）。この段階では、図６のＳ１２４に示す履歴が表示される。
【００５１】
以上、説明したように、本実施の形態により、ユーザ端末１００において、第１通信機能部１１０（例：ＶｏＩＰアプリ）を使用する際に、第２通信機能部１３０（例：携帯電話機能）の発着信履歴を容易に利用することが可能となり、第１通信機能部１１０を利用するユーザの利便性が向上する。
【００５２】
また、本実施の形態では、統合発着信履歴を通話発信に使用する例を説明したが、これは一例に過ぎない。例えば、表示されている統合発着信履歴の中の特定の履歴が選択された場合に、表示制御部１１２が、通信部１１３に対して、当該履歴の宛先にメッセージの送信を指示し、通信部１１３が当該メッセージ送信を行うこととしてもよい。これは例えば、会議中など発話ができない状況のため電話に出られなかった場合における応答として利用することができる。また、例えば表示制御部１１２が、統合発着信履歴を電話帳管理手段（例：Web電話帳サーバ）に送信し、電話帳管理手段において電話帳登録を行うこととしてもよい。また、例えば表示制御部１１２が、統合発着信履歴における第２発着信履歴の中の着信履歴の電話番号を第１電話ＮＷに通知することで、第１電話ＮＷで提供される迷惑電話拒否等のオプションサービスを利用することとしてもよい。
【００５３】
以上の説明ではＶｏＩＰアプリと携帯電話機能等、通話という同一の種類の通信機能部同士の発着信履歴統合を例に説明したが、これは一例に過ぎず、本発明は、異なる種類の通信機能部同士の発着信履歴統合を行う場合にも適用できる。以下では、その例として、変形例１と変形例２を説明する。
【００５４】
（変形例１）
例えば、電話番号でメッセージを送るサービスであるSMSの機能をユーザ端末１００において第２通信機能部１３０として備え、当該第２通信機能部１３０がSMSの発着信履歴を第２発着信履歴格納部１４０に格納する。そして、これまでに説明した方法で、第１通信機能部（例：ＶｏＩＰアプリ、携帯電話機能）が、SMSの発着信履歴（第２発着信履歴）を取得することにより、通話の発着信履歴とSMSの発着信履歴とを統合した統合発着信履歴を表示する。また、ユーザは、当該統合発着信履歴を利用することで、第１通信機能部１１０から、SMSの発着信履歴の発信先又は着信元に通話の発信をすることができる。
【００５５】
以上の動作は、第１通信機能部１１０を電話機能とし、第２通信機能部１３０をSMS機能とした例であるが、この逆であってもよい。すなわち、第１通信機能部１１０をSMS機能とし、第２通信機能部１３０を電話機能とし、第１通信機能部１１０において統合発着信履歴を作成することで、第１通信機能部１１０から、通話の発着信履歴の発信先又は着信元にSMS発信をすることとしてもよい。
【００５６】
（変形例２）
また、例えば、メールの機能をユーザ端末１００において第２通信機能部１３０として備え、当該第２通信機能部１３０がメールの発着信履歴を第２発着信履歴格納部１４０に格納する。そして、第１通信機能部（例：ＶｏＩＰアプリ、携帯電話機能）が、メールの発着信履歴（第２発着信履歴）を取得することにより、通話の発着信履歴とメールの発着信履歴とを統合した統合発着信履歴を格納し、表示する。ユーザは、当該統合発着信履歴を利用することで、第１通信機能部１１０から、メールの発着信履歴の発信先又は着信元に通話の発信をすることができる。
【００５７】
変形例２において、第２発着信履歴格納部１４０には、メールの発着信履歴として、発信先又は着信元のメールアドレスが記録される。そこで、例えば、表示制御部１１２が、メールアドレスと電話番号とを対応付けて保持する電話帳機能を備える。表示制御部１１２は、当該電話帳機能を利用することで、メールの発着信履歴が取得された際に、当該発着信履歴における各メールアドレスを電話番号に変換し、第１発着信履歴格納部１２０に格納し、変換後のメールの発着信履歴を通話の発着信履歴と統合する。これにより、メールの発着信履歴と通話の発着信履歴を統合した統合発着信履歴を、図３に示した表示例と同様に表示することができる。また、メールの発着信履歴の発信先又は着信元を指定した発信も図３で説明した方法と同様に行うことができる。
【００５８】
なお、上記電話帳機能を表示制御部１１２内に備えることは一例である。また、メールアドレスと電話番号とを対応付けたデータベースをネットワーク上のサーバに備え、上記電話帳機能は、当該データベースにアクセスする機能であってもよい。
【００５９】
また、上記のように、統合発着信履歴の作成時にメールアドレスから電話番号への変換を行うことに代えて、第１通信機能部１１０から、メールの発着信履歴の発信先又は着信元に発信を行う際に、メールアドレスから電話番号への変換を行うこととしてもよい。すなわち、この場合、統合発着信履歴の中には、メールの発着信履歴としてメールアドレスが存在する。そして、表示制御部１１２により統合発着信履歴が表示され、ユーザにより、メールの発着信履歴の発信先又は着信元が選択された際に、表示制御部１１２が、上記電話帳機能を利用して、当該発信先又は着信元のメールアドレスを電話番号に変換して、通信部１１３に発信を指示する。
【００６０】
なお、SMSの通信機能とメールの通信機能は、いずれもメッセージ送受信機能の例である。
【００６１】
（実施の形態のまとめ）
以上、説明したように、本実施の形態により、表示手段、及び第１通信手段を含む発着信履歴統合装置であって、前記第１通信手段によりなされた発信又は着信の履歴である第１発着信履歴を格納する第１履歴格納手段と、前記第１通信手段と異なる通信手段である第２通信手段によりなされた発信又は着信の履歴であって、第２履歴格納手段に格納されている第２発着信履歴を、当該第２履歴格納手段から取得し、当該第２発着信履歴と前記第１発着信履歴とを統合した統合発着信履歴を前記表示手段に表示する表示制御手段とを備えることを特徴とする発着信履歴統合装置が提供される。
【００６２】
表示操作部１５０は表示手段の例であり、第１通信機能部１１０は第１通信手段の例であり、第１発着信履歴格納部１２０は履歴格納手段の例である。また、第２通信機能部１３０は第２通信手段の例であり、表示制御部１１２は表示制御手段の例である。
【００６３】
前記表示手段上に表示された統合発着信履歴の中から前記第２発着信履歴に含まれる発信又は着信の履歴が選択された場合に、前記第１通信手段は、前記表示制御手段からの指示に基づいて、当該選択された発信又は着信の履歴の発信先又は着信元への発信を行うこととしてもよい。
【００６４】
前記表示制御手段により前記表示手段上に表示される統合発着信履歴における各履歴は、前記第１発着信履歴と前記第２発着信履歴のうちのいずれに属するかを示す情報を含むこととしてもよい。
【００６５】
また、前記第１通信手段と前記第２通信手段は、異なる種類の通信手段であってもよい。この場合に、前記表示制御手段は、前記第２発着信履歴における発信先又は着信元を示す識別情報を、前記第１通信手段に対応した識別情報に変換することとしてもよい。
【００６６】
（第１項）
表示手段、及び第１通信手段を含む発着信履歴統合装置であって、
前記第１通信手段によりなされた発信又は着信の履歴である第１発着信履歴を格納する第１履歴格納手段と、
前記第１通信手段と異なる通信手段である第２通信手段によりなされた発信又は着信の履歴であって、第２履歴格納手段に格納されている第２発着信履歴を、当該第２履歴格納手段から取得し、当該第２発着信履歴と前記第１発着信履歴とを統合した統合発着信履歴を前記表示手段に表示する表示制御手段と
を備えることを特徴とする発着信履歴統合装置。
（第２項）
前記表示手段上に表示された統合発着信履歴の中から前記第２発着信履歴に含まれる発信又は着信の履歴が選択された場合に、前記第１通信手段は、前記表示制御手段からの指示に基づいて、当該選択された発信又は着信の履歴の発信先又は着信元への発信を行う
ことを特徴とする第１項に記載の発着信履歴統合装置。
（第３項）
前記表示制御手段により前記表示手段上に表示される統合発着信履歴における各履歴は、前記第１発着信履歴と前記第２発着信履歴のうちのいずれに属するかを示す情報を含む
ことを特徴とする第１項又は第２項に記載の発着信履歴統合装置。
（第４項）
前記第１通信手段と前記第２通信手段は、異なる種類の通信手段である
ことを特徴とする第１項ないし第３項のうちいずれか１項に記載の発着信履歴統合装置。
（第５項）
前記表示制御手段は、前記第２発着信履歴における発信先又は着信元を示す識別情報を、前記第１通信手段に対応した識別情報に変換する
ことを特徴とする第４項に記載の発着信履歴統合装置。
（第６項）
表示手段、第１通信手段、及び当該第１通信手段によりなされた発信又は着信の履歴である第１発着信履歴を格納する第１履歴格納手段を含む発着信履歴統合装置が実行する発着信履歴表示方法であって、
前記第１通信手段と異なる通信手段である第２通信手段によりなされた発信又は着信の履歴であって、第２履歴格納手段に格納されている第２発着信履歴を、当該第２履歴格納手段から取得し、当該第２発着信履歴と前記第１発着信履歴とを統合した統合発着信履歴を前記表示手段に表示する表示制御ステップ
を備えることを特徴とする発着信履歴表示方法。
（第７項）
コンピュータを、第１項ないし第５項のうちのいずれか１項に記載の発着信履歴統合装置における表示制御手段として機能させるためのプログラム。
本発明は、上記の実施の形態に限定されることなく、特許請求の範囲内において、種々変更・応用が可能である。
【符号の説明】
【００６７】
１００  ユーザ端末
１１０  第１通信機能部
１１１  発着信履歴取得部
１１２  表示制御部
１１３  通信部
１２０  第１発着信履歴格納部
１３０  第２通信機能部
１４０  第２発着信履歴格納部
１５０  表示操作部
【図１】
0006696766.tif 000002
【図２】
0006696766.tif 000003
【図３】
0006696766.tif 000004
【図４】
0006696766.tif 000005
【図５】
0006696766.tif 000006
【図６】
0006696766.tif 000007